(57)【要約】【課題】設備投資が少なく、全国規模の交通情報を生成することのできる交通情報生成装置、乗り物位置情報特定方法および乗り物位置情報特定プログラムを提供する。【解決手段】交通情報生成装置２は、電源が投入された状態にある携帯電話１に対して問い合わせを行い、その応答を受信して携帯電話１が通信を行っている基地局４のエリア情報を監視し、基地局４のエリア情報が変化したときに、その変化の前後における位置情報を特定し、その位置情報から移動距離を取得し、その移動距離から携帯電話１の移動速度を算出し、その算出された移動速度と、位置情報に相当する道路の法定速度情報との差に基づき交通情報を生成し、出力する。【選択図】図１
2007133828.tif 000002
【特許請求の範囲】
【請求項１】
乗り物とともに移動する携帯端末とは基地局およびネットワークを介して接続され、地図情報データベースと、道路情報データベースとを備えた交通情報生成装置であって、
電源が投入された状態にある前記携帯端末に対して問い合わせを行い、その応答を受信することによって、前記携帯端末が通信を行っている前記基地局のエリア情報を監視するエリア情報監視部と、
前記エリア情報から前記携帯端末の位置情報を特定し、その位置情報から移動距離を取得し、その移動距離から前記携帯端末の移動速度を算出する移動速度算出部と、
前記移動速度算出部で算出された移動速度と、あらかじめ前記道路情報データベースに記憶された前記位置情報に対応する道路の法定速度情報との差により交通情報を生成し、その交通情報を前記地図情報データベースに記憶された地図情報と重ね合わせて出力する交通情報生成部と、
を備えたことを特徴とする交通情報生成装置。
【請求項２】
前記移動速度算出部は、
前記基地局のエリア情報が変化したときに、その変化の前後における位置情報を特定し、その位置情報から移動距離を取得し、その移動距離から前記携帯端末の移動速度を算出する
ことを特徴とする請求項１に記載の交通情報生成装置。
【請求項３】
乗り物とともに移動する携帯端末とは基地局およびネットワークを介して接続され、地図情報データベースと、道路情報データベースとを備えた交通情報生成装置であって、
前記携帯端末の通話開始の地点において前記携帯端末から第１の基地局のエリア情報を受信し、前記携帯端末の通話終了の地点において前記携帯端末から第２の基地局のエリア情報を受信することによって、時系列的に基地局のエリア情報を監視するエリア情報監視部と、
前記第１の基地局のエリア情報と前記第２の基地局のエリア情報の変化が検出されたときに、その変化の前後における位置情報を特定し、その位置情報から移動距離を取得し、その移動距離から前記携帯端末の移動速度を算出する移動速度算出部と、
前記移動速度算出部で算出された移動速度と、あらかじめ前記道路情報データベースに記憶された前記位置情報に対応する道路の法定速度情報との差により交通情報を生成し、その交通情報を前記地図情報データベースに記憶された地図情報と重ね合わせて出力する交通情報生成部と、
を備えたことを特徴とする交通情報生成装置。
【請求項４】
３以上の基地局を経由したエリア情報から前記基地局と前記携帯端末との間の電波の所要時間を求め、その所要時間から前記基地局と前記携帯端末との間の距離を求め、さらにその距離から３点測位の原理に基づいて前記携帯端末の位置情報を特定する位置情報生成部
をさらに備えたことを特徴とする請求項１ないし請求項３のいずれか一項に記載の交通情報生成装置。
【請求項５】
前記基地局のエリア情報が変化した携帯端末のうち、移動方向および移動速度が同じである携帯端末を１のグループに属するものとして設定するグルーピング管理部をさらに備え、
前記位置情報生成部が前記グループに属する１の携帯端末を対象に前記位置情報の特定を行う
ことを特徴とする請求項４に記載の交通情報生成装置。
【請求項６】
乗り物とともに移動する携帯端末とは基地局およびネットワークを介して接続され、地図情報データベースと、道路情報データベースとを備えた交通情報生成装置における乗り物位置情報特定方法であって、
電源が投入された状態にある前記携帯端末に対して問い合わせを行い、その応答を受信することによって、前記携帯端末が通信を行っている前記基地局のエリア情報を監視するステップと、
前記エリア情報から前記携帯端末の位置情報を特定し、その位置情報から移動距離を取得し、その移動距離から前記携帯端末の移動速度を算出するステップと、
前記算出された移動速度と、あらかじめ前記道路情報データベースに記憶された前記位置情報に対応する道路の法定速度情報との差により交通情報を生成し、その交通情報を前記地図情報データベースに記憶された地図情報と重ね合わせて出力するステップと、
を有することを特徴とする乗り物位置情報特定方法。
【請求項７】
前記基地局のエリア情報が変化したときに、その変化の前後における位置情報を特定し、その位置情報から移動距離を取得し、その移動距離から前記携帯端末の移動速度を算出するステップと、
をさらに有することを特徴とする請求項６に記載の乗り物位置情報特定方法。
【請求項８】
乗り物とともに移動する携帯端末とは基地局およびネットワークを介して接続され、地図情報データベースと、道路情報データベースとを備えた交通情報生成装置における乗り物位置情報特定方法であって、
前記携帯端末の通話開始の地点において前記携帯端末から第１の基地局のエリア情報を受信し、前記携帯端末の通話終了の地点において前記携帯端末から第２の基地局のエリア情報を受信することによって、時系列的に基地局のエリア情報を監視するステップと、
前記第１の基地局のエリア情報と前記第２の基地局のエリア情報の変化が検出されたときに、その変化の前後における位置情報を特定し、その位置情報から移動距離を取得し、その移動距離から前記携帯端末の移動速度を算出するステップと、
前記算出された移動速度と、あらかじめ前記道路情報データベースに記憶された前記位置情報に対応する道路の法定速度情報との差により交通情報を生成し、その交通情報を前記地図情報データベースに記憶された地図情報と重ね合わせて出力するステップと、
を有することを特徴とする乗り物位置情報特定方法。
【請求項９】
コンピュータに請求項６ないし請求項８のいずれか一項に記載の乗り物位置情報特定方法を実行させることを特徴とする乗り物位置情報特定プログラム。
【発明の詳細な説明】
【技術分野】
【０００１】
本発明は、交通情報生成装置、乗り物位置情報特定方法および乗り物位置情報特定プログラムに関する。
【背景技術】
【０００２】
車両のナビゲーションシステムを活用して、現在地から目的地への最短時間ルートを算出するには、地図情報だけでなく、予定経路の道路渋滞情報が必要である。この道路渋滞情報の生成には、道路上を走行する自動車（乗り物）の動きを監視する必要がある。
自動車の動きを監視して渋滞情報を算出するために、ＶＩＣＳ（道路交通情報通信システム：Vehicle Information and Communication System）により渋滞情報を算出する方法と、ＧＰＳ（Global Positioning System）受信機を搭載したプローブカーから集約したプローブ情報により算出する方法とがある。
【０００３】
ＶＩＣＳにより渋滞情報を算出するためには、全国の道路側に路側センサを設置し、そのセンサの下を通行した自動車のデータをＶＩＣＳセンタに集約し、そのデータを蓄積して、交通情報を生成する必要がある。
しかしながら、ＶＩＣＳによって渋滞情報を取得するためには、センサを全国の道路（国道、高速道路、県道など）の路側に多数設置する必要があり、膨大な投資が必要であり現実的でない。また、ＧＰＳ受信機を搭載したプローブカーにより、渋滞情報を生成するためには、実際に道路上を走行させるプローブカーの台数の確保と、その車両からセンタへ位置情報を連絡する通信コストが必要であり、緻密な渋滞情報を生成するには適さないものとなっている。
【０００４】
従来、プローブカーを用い、プローブカーが現在未走行のエリアでの渋滞状況予測・推定を実現するプローブ情報を利用した交通状況推定方法および交通状況推定・提供システムが提案されている（例えば、特許文献１参照）。
【特許文献１】特開２００２−２５１６９８号公報（段落００１３〜００１７、図１）
【発明の開示】
【発明が解決しようとする課題】
【０００５】
特許文献１に開示された技術によれば、プローブカーを活用し、プローブ情報を取得するために対象とする車両にＧＰＳ受信機を設置し、ＧＰＳ受信機によって得られた位置情報を携帯電話などの通信手段を用いてプローブセンタに伝え、プローブセンタで、この収集した情報を蓄積して、交通情報を生成する必要がある。このため、プローブカーからセンタへ位置情報を送信するのに要する通信コストが無視できず、特に、携帯電話の通話時のデータを活用したプローブ情報では通信コストが膨大になるという問題があった。
また、通話中の携帯電話を活用した場合、法規制で移動中の音声通話は禁止されているので、収集されるプローブデータはハンズフリー機器を搭載した車両に限られることになり、このため、プローブデータのサンプル数が制限されるといった問題もあった。
【０００６】
本発明は、前記問題に鑑みてなされたものであり、設備投資が少なく、全国規模の交通情報を生成することのできる交通情報生成装置、乗り物位置情報特定方法および乗り物位置情報特定プログラムを提供することを課題とする。
【課題を解決するための手段】
【０００７】
前記課題を解決する本発明は、乗り物とともに移動する携帯端末とは基地局およびネットワークを介して接続され、地図情報データベースと、道路情報データベースとを備えた交通情報生成装置であって、電源が投入された状態にある携帯端末に対して問い合わせを行い、その応答を受信することによって、携帯端末が通信を行っている基地局のエリア情報を監視するエリア情報監視部と、エリア情報から携帯端末の位置情報を特定し、その位置情報から移動距離を取得し、その移動距離から携帯端末の移動速度を算出する移動速度算出部と、移動速度算出部で算出された移動速度と、あらかじめ道路情報データベースに記憶された位置情報に対応する道路の法定速度情報との差により交通情報を生成し、その交通情報を前記地図情報データベースに記憶された地図情報と重ね合わせて出力する交通情報生成部とを備えたことを主な特徴とする。なお、本発明は、乗り物位置情報特定方法および乗り物位置情報特定プログラムを含む。
【発明の効果】
【０００８】
本発明によれば、基地局のエリア情報が変化した場合に乗り物の位置情報を特定することができるため、位置情報特定のための負荷が減少し、設備投資が少なく、かつ、全国規模の交通情報を生成することができる。また、非通話状態にあっても位置情報を特定できるため通信コストの削減を図ることができ、収集されるデータのサンプル数が制限されることがなくなる。
【発明を実施するための最良の形態】
【０００９】
以下、本発明を実施するための最良の形態について図面を参照して詳細に説明する。
【００１０】
≪システムの構成と概要≫
図１は、本発明の実施の形態に係る交通情報生成装置のシステム接続構成の一例を示す図である。
図１において、符号１はドライバが所持する携帯電話であり、車両１０とともに移動する。符号２は、プローブ情報管理センタに設置される交通情報生成装置であり、道路情報、地図情報、プローブ情報などを格納する各種データベース（詳細は後記）を備え、携帯電話（携帯端末）１とは無線通信網（ネットワーク）３および基地局４を介して接続される。なお、携帯電話１は、ＰＤＡ（Personal Digital Assistant）などの携帯端末であってもよい。また、交通情報生成装置２と基地局４との間は、必ずしも無線通信網でなくてもよく、例えば、有線のネットワークで接続されていてもよい。
【００１１】
交通情報生成装置２は、電源が投入された状態にある携帯電話１に対して定期的に問い合わせを行い（ステップＳ１０）、その応答を受信する（ステップＳ２０）。これにより、携帯電話１が通信を行っている基地局４ごとのエリア情報を監視し、そのエリア情報から携帯電話１の位置情報を特定し、そのような２以上の位置情報から得られる移動距離から携帯電話１の移動速度を算出し、さらに、前記位置情報に対応する道路の法定速度情報との差により交通情報を生成し、提供する（ステップＳ３０）。この場合、道路情報および地図情報などと整合を図り、ユーザに対して画面上に重ね合わせて表示できるように、携帯電話１やＰＣ（Personal Computer）５などに出力してもよい。また、基地局４のエリア情報が変化した場合に、その変化の前後における位置情報を特定し、移動距離を得るようにしてもよい。
【００１２】
周知のように、携帯電話１は、その移動に伴って基地局４を切り替える（ハンドオーバする）ことで通話を継続できる。ここで、携帯電話１は、常に複数の基地局４と交信しており、最も感度（電界強度）の高い基地局４と通信を行うようになっているため、ハンドオーバ時の瞬断は発生しないようになっている。図８に、携帯電話１が車両１０の移動に伴って基地局４をハンドオーバしていく様子が示されている。
【００１３】
携帯電話１は、限られた周波数資源を繰り返し利用するためにセル方式を採用している。具体的に、図８では、セル４０Ａにおいて一つの基地局４Ａから送信される電波の届く範囲を制限し、近接するセル４０Ｂでわずかに異なる周波数の電波を利用することで多数の回線を確保している。また、実際に基地局を運用する際には、一つのセルをさらに複数の扇形（ここでは、４０ａ、４０ｂ、４０ｃの３つ）に分割して異なる周波数を割り当てている。このとき分割されたそれぞれの扇形のセルをセクタ４０ａ、４０ｂ、４０ｃと呼んでいる。本発明の実施の形態では、セクタを単位としたエリア情報を利用して、車両１０の移動を検出することとする。
【００１４】
ここでは、車両１０は、携帯電話１を所持したドライバが所定の道路１００上を運転している。携帯電話１は、通話状態または非通話状態にかかわらず、電源が投入されている状態にある限り、常時、基地局４Ａ、４Ｂと通信を行っている。なお、セル４０Ａは、基地局４Ａがカバーする通信範囲を示し、セクタ４０ａ、４０ｂおよび４０ｃに分割される。車両１０が、道路１００上を移動するに従って、基地局４Ａと通信を行っていた携帯電話１は、電界強度が最大である受信電波の周波数が変化したときにセル４０Ａのカバーエリアから近接するセル４０Ｂのカバーエリアにハンドオーバし、セル４０Ｂをカバーする基地局４Ｂと通信を行うようになる。
【００１５】
図２は、本発明の実施の形態に係る交通情報生成装置の内部構成を示すブロック図である。交通情報生成装置２は、エリア情報監視部２１と、位置情報生成部２２と、移動速度算出部２３と、交通情報生成部２４と、グルーピング管理部２５と、プローブ情報ＤＢ（Data Base）２６と、道路情報ＤＢ２７と、地図情報ＤＢ２８とを含んで構成される。
【００１６】
エリア情報監視部２１は、電源が投入された状態にある携帯電話１に対して定期的に問い合わせ（ポーリング）を行い、その応答を受信することによって、携帯電話１が通信を行っている基地局４のエリア情報を監視する機能を持つ。また、エリア情報監視部２１は、応答情報からプローブ情報を生成してプローブ情報ＤＢ２６に格納するとともに、そのプローブ情報を位置情報生成部２２に供給する。なお、携帯電話１から随時送信されるエリア情報を受信し、保存する装置がある場合には、エリア情報監視部２１が、その装置に対して問い合わせを行い、基地局ＩＤやセクタ番号などを取得するようにしてもよい。このときのデータ転送に、例えば、ＦＴＰ（File Transfer Protocol）を用いるようにしてもよい。
【００１７】
図３は、エリア情報監視部２１が携帯電話１から基地局４経由で受信する応答情報（エリア情報）のデータ形式の一例を示す図である。図３に示すように、応答情報３０は、携帯電話１に割り当てられたユニークな番号である携帯電話ＩＤ３１、通信している基地局のＩＤである基地局ＩＤ３２、セクタに固有のセクタ番号３３および基地局４からの問い合わせ受信時刻３４を含むデータからなる。携帯電話ＩＤ３１は、携帯電話１にユニークな番号を暗号化したものであってもよい。基地局ＩＤ３２およびセクタ番号３３は、携帯電話１が受信した電波によって特定する。
【００１８】
位置情報生成部２２は、３以上の基地局４を経由した応答情報３０に含まれる問い合わせ受信時刻３４と、基地局４が問い合わせの電波を発信した時刻とから、各基地局４からの携帯電話１までの電波の所要時間を算出する。その所要時間により各基地局４からの携帯電話１までの距離を求め、さらに３点測位の原理に基づいて携帯電話１の位置情報を特定し、その位置情報を移動速度算出部２３へ供給する。この３点測位の原理に基づいて位置情報を求める技術は周知であるため、ここでの説明は省略する。
【００１９】
なお、携帯電話１は、基地局４からの問い合わせに応答するのではなく、例えば、セル間またはセクタ間の移動があったときや通話の開始や終了のときに、自ら応答情報３０に相当する情報を送信することがある。その場合、携帯電話１は、応答情報３０における問い合わせ受信時刻３４に情報の送信時刻を設定する。それに対応して、位置情報生成部２２は、その情報の送信時刻と、基地局４がその情報を受信した時刻とから、携帯電話１からの各基地局４までの電波の所要時間を算出することになる。その他の処理は、問い合わせを行った場合と同様である。
【００２０】
移動速度算出部２３は、基地局４のエリア情報（特に、応答情報３０の基地局ＩＤ３２またはセクタ番号３３）が変化した（セル間またはセクタ間の移動があった）ときに、その変化の前後における位置情報を特定し、その前後の位置情報から得られる移動距離から携帯電話１の移動速度を算出して交通情報生成部２４に供給する。ここで、基地局４のエリア情報が変化したときに位置情報を特定するのは、エリア情報の変化に対応して携帯電話１からその旨を示す情報の送信（位置登録）があるので、その情報とともに応答情報３０を受信することができるためである。なお、問い合わせによる応答情報３０の受信によって位置情報を特定することも可能である。
【００２１】
交通情報生成部２４は、移動速度算出部２３において算出された移動速度と、あらかじめ道路情報ＤＢ２７に記憶された位置情報に対応する道路の法定速度情報との差により交通情報を生成する。また、交通情報生成部２４は、その交通情報、例えば、渋滞情報を地図情報ＤＢ２８に記憶された該当位置の地図情報と重ね合わせて、ＰＣ５などに出力する。
【００２２】
グルーピング管理部２５は、エリア情報が変化した携帯電話１のうち、移動方向および移動速度（ベクトル）が同じ携帯電話１を１つのグループに属するものとして設定（グルーピング設定）し、そのグループに属する１つの携帯電話１を選択し、その選択した携帯電話１を対象に位置情報生成部２２に対して位置情報の特定を行わせる機能を持つ。
【００２３】
図４に、プローブ情報ＤＢのデータ構造の一例を示す。プローブ情報ＤＢ２６は、エリア情報監視部２１、位置情報生成部２２および移動速度算出部２３によって更新または参照され、時刻や位置の他に、車両の速度、平均速度に関する情報が生成され、蓄積される。なお、平均速度の算出方法は、移動速度算出部２３が、地図情報ＤＢ２８を参照し、エリア情報監視部２１によって収集された応答情報３０の問い合わせ受信時刻３４と、位置情報生成部２２により生成された位置情報とに基づき走行経路に沿って算出したものが考えられる。
【００２４】
道路情報ＤＢ２７は、位置情報に対応する道路の法定速度情報を記憶する。地図情報ＤＢ２８は、位置情報に対応する地点周辺の地図情報を記憶する。
【００２５】
≪システムの処理≫
図５および図６は、本発明の実施の形態に係る交通情報生成装置の動作を示すフローチャートである。また、図５および図６は、本発明のコンピュータプログラム（乗り物位置情報特定プログラム）の処理手順も示している。
以下、図５および図６に示すフローチャートを参照しながら、図１ないし図４に示す本発明の実施の形態の動作について詳細に説明する。
【００２６】
図５は、エリア情報の問い合わせおよび位置情報の特定処理の流れを示している。図５において、まず、エリア情報監視部２１は、携帯電話１に対し、ある時刻ｔｉにおける携帯電話１の位置情報の問い合わせ（ポーリング）を行う（ステップＳ５１）。そして、ポーリングを受けた携帯電話１からエリア情報（応答情報３０）を受信し、それに基づいて位置情報（ここでは、（Ｘｎ，Ｙｎ，ｔｉ））を特定する（ステップＳ５２）。なお、このとき、携帯電話１と交通情報生成装置２との間で問い合わせや応答のための信号が多数交換されるため、交通情報生成装置２側で輻輳に対処する制御を行うものとする。
本発明の実施の形態では、携帯電話１を複数グルーピング設定し、同一グループに属する携帯電話１に対してエリア情報監視部２１が問い合わせを発行するタイミングをシフトすることでその輻輳を回避している。
【００２７】
また、位置情報の特定に際し、グルーピング管理部２５は、所定の基地局エリアから移動した携帯電話１を移動先が同じエリアごとにグルーピング設定し、位置情報生成部２２に対し、そのグループに属する携帯電話１を対象に、所定の時間間隔をおいて位置特定を行わせる制御を行っている。このことにより、位置情報の集約化を図っている。
【００２８】
具体的に、位置情報生成部２２は、時刻ｔｉにおける携帯電話１の応答情報３０から生成される位置情報と、グルーピング管理部２５によりグルーピング設定され、代表とされた携帯電話１の位置情報との比較を行う（ステップＳ５３）。位置情報の変化が大きい場合、すなわち、位置情報が不一致である場合（ステップＳ５３の不一致）、新グループ（Ｎ＋１）の位置（Ｎ＋１，Ｘｎ＋１，Ｙｎ＋１，ｔｎ＋１）を定義する（ステップＳ５４）。位置情報が一致した場合（ステップＳ５３の一致）、同じグループと見なして特に処理は行わない（ステップＳ５５）。
【００２９】
続いて、位置情報生成部２２は、時刻ｔｉ−１において問い合わせたときの応答情報３０から生成された位置情報との差分（ＤＸｎ，ＤＹｎ）を算出し（ステップＳ５６）、その差が、例えば、セクタを超える範囲にあればエリア情報が変化したものと見なし、各グループの位置（Ｔｎ，Ｎ，Ｘｎ，Ｙｎ，ｔｎ，ＤＸｎ，ＤＹｎ）を定義する（ステップＳ５７）。
また、エリア情報監視部２１は、前回問い合わせ時の位置と比較して、位置の時刻変化が大きいプローブ点は問い合わせの頻度を短くして再度位置情報の問い合わせを行い、一方、変化の少ないプローブ点は位置の問い合わせの頻度を減らす制御を実行して輻輳を回避している。
【００３０】
図６は、交通情報生成処理の流れを示す図である。図６において、移動速度算出部２３は、前記エリア情報が変化した後、位置情報生成部２２により特定される時刻ｔｉにおける携帯電話１の位置情報（Ｘｉ，Ｙｉ，ｔｉ）を取得する（ステップＳ６１）。また、時刻ｔｉ＋１での携帯電話１の位置情報（Ｘｉ＋１，Ｙｉ＋１，ｔｉ＋１）を取得する（ステップＳ６２）。そして、時刻ｔｉからの時刻ｔｉ＋１までの移動距離を算出する（ステップＳ６３）。そして、その移動距離から、時刻ｔｉ＋１における移動速度（Ｖｘ，Ｖｙ）を算出する（ステップＳ６４）。
【００３１】
そして、交通情報生成部２４に制御を移し、交通情報生成部２４において、移動速度算出部２３で算出された移動速度と、あらかじめ道路情報ＤＢ２７に記憶された位置情報に対応する道路の法定速度情報とを比較する。ここで、交通情報生成部２４は、移動速度が法定速度より所定の範囲を超えて小さいと判定されたときに「渋滞している」と判断して交通情報を生成する（ステップＳ６５）。
【００３２】
図７は、交通情報生成部２４によって生成される交通情報の一例を示す図である。ここでは、交通情報が、「順調」、「混雑」、「渋滞」の３レベルに区分して定義され示されている。このレベル判断は、前記した速度差または所要時間に基づいて決定される。続いて、交通情報生成部２４は、地図情報ＤＢ２８を参照し、地図情報ＤＢ２８に記憶された該当地図上にその交通情報を重ね合わせてプロットし、出力する（ステップＳ６６）。
【００３３】
なお、本発明の実施の形態によれば、携帯電話１をプローブ端末として使用するため、同一道路上を走行する車両１０のプローブ情報と、同時に同一道路の歩道を歩行する携帯電話１を所持する人からのプローブ情報とを識別する必要がある。このため、本発明の実施の形態では、交通情報を道路地図上に重ね合わせて出力した際に、道路上の点に正確にプロットされたか否かを判断する（ステップＳ６７）。正確にプロットされていた場合には（ステップＳ６７のＹｅｓ）、車両１０であることが認識できる。道路からずれてプロットされた場合には（ステップＳ６７のＮｏ）、歩行者であると認識してステップＳ６１以降の処理をやり直す。このことにより、車両と歩行者との識別を行うことが可能である。
【００３４】
さらに、同一車線上を走行する車両１０で、例えば、業務車両では、交通流の影響によらず荷卸しなどの理由で停車し、そのプローブ情報によって渋滞情報であると誤認識する可能性がある。このため、本発明の実施の形態では、速度が所定の閾値内であるか否かを判断する（ステップＳ６８）。所定の閾値内であれば（ステップＳ６８のＹｅｓ）、歩行者または静止物であると判断する（ステップＳ６９）。所定の閾値外であれば（ステップＳ６８のＮｏ）、移動体としての車両１０であると判断してプローブ情報として活用する（ステップＳ７０）。このことにより、停車を渋滞とするような誤認識を回避することが可能である。
【００３５】
以上説明のように本発明の実施の形態は、電源が投入された状態にある携帯電話１に対して定期的に問い合わせを行い、その応答を受信して携帯電話１が通信を行っている基地局４のエリア情報を監視し、そのエリア情報から携帯電話１の位置情報を特定し、そのような２以上の位置情報から得られる移動距離から携帯電話１の移動速度を算出し、その算出された移動速度と、位置情報に対応する道路の法定速度情報との差により交通情報を生成し、出力する構成としたものである。本発明の実施の形態によれば、基地局１のエリア情報が変化した場合などを含めて車両の位置情報を特定するため、位置情報特定のための負荷が減少し、設備投資が少なくても全国規模の渋滞情報を生成することができる。
【００３６】
また、図２に示すエリア情報監視部２１、位置情報生成部２２、移動速度算出部２３、交通情報生成部２４、グルーピング管理部２５のそれぞれで実行されるプログラム（乗り物位置情報特定プログラムを含む）をコンピュータ読み取り可能な記録媒体に記録し、コンピュータがこれらプログラムを逐次読み出し実行することによって、本発明の実施の形態に係る交通情報生成装置を実現可能である。ここでいうコンピュータは、ＯＳ（Operating System）を含むものとする。
【００３７】
≪その他の実施の形態≫
以上本発明について好適な実施の形態について一例を示したが、本発明は前記実施の形態に限定されず、本発明の趣旨を逸脱しない範囲で適宜変更が可能である。例えば、前記実施の形態では、携帯電話１がドライブモードなどに設定された非通話時における動作について説明したが、通話時にも同様、交通情報生成装置２が、通話開始の地点において携帯電話１から基地局のエリア情報を受信し、また、携帯電話１の通話終了の地点においても携帯電話１から基地局のエリア情報を受信することによって、時系列的にエリア情報を監視するようにしてもよい。これによれば、エリア情報の変化が検出されたときに、その変化の前後における位置情報を特定し、その位置情報から得られる移動距離から携帯電話１の移動速度を算出し、その算出された移動速度と、その位置情報に対応する道路の法定速度情報との差により交通情報を生成し、出力することができ、このことによっても前記実施の形態と同様の効果が得られる。
【図面の簡単な説明】
【００３８】
【図１】本発明の実施の形態に係る交通情報生成装置のシステム接続構成の一例を示す図である。
【図２】本発明の実施の形態に係る交通情報生成装置の内部構成を示すブロック図である。
【図３】本発明の実施の形態において使用される応答情報のデータ形式の一例を示す図である。
【図４】本発明の実施の形態において使用されるプローブ情報ＤＢのデータ構造の一例を示す図である。
【図５】本発明の実施の形態における交通情報生成装置のエリア情報の問い合わせおよび位置情報の特定処理を示すフローチャートである。
【図６】本発明の実施の形態における交通情報生成装置の交通情報生成処理を示すフローチャートである。
【図７】本発明の実施の形態により生成される交通情報の一例を示す図である。
【図８】車両の移動に伴い携帯電話が基地局をハンドオーバしていく様子を示す図である。
【符号の説明】
【００３９】
１      携帯電話（携帯端末）
２      交通情報生成装置
３      無線通信網（ネットワーク）
４      基地局
５      ＰＣ
１０    車両
２１    エリア情報監視部
２２    位置情報生成部
２３    移動速度算出部
２４    交通情報生成部
２５    グルーピング管理部
２６    プローブ情報ＤＢ
２７    道路情報ＤＢ
２８    地図情報ＤＢ
３０    応答情報（基地局のエリア情報）
【図１】
2007133828.tif 000003
【図２】
2007133828.tif 000004
【図３】
2007133828.tif 000005
【図４】
2007133828.tif 000006
【図５】
2007133828.tif 000007
【図６】
2007133828.tif 000008
【図７】
2007133828.tif 000009
【図８】
2007133828.tif 000010